(57)【特許請求の範囲】
【請求項１】
精算後に退場カードを発行する退場カード発行ユニットを備えたリストバンド自動精算機において、
前記退場カード発行ユニットは、前記退場カードを退場カード取出口へ搬送手段によって搬送するカード搬送装置と、
予め貯留している前記退場カードを前記カード搬送装置に搬出するカード搬出装置と、
を備え、
前記カード搬送装置は、退場カードを案内する案内溝を有したガイドレールを搬送方向と平行に一対備え、
前記一対のガイドレールは、カード取出開口部に近づくにしたがって互いに近接するとともに、当該カード取出開口部直前において互いの前記案内溝どうしが連通するように形成したことを特徴とするリストバンド自動精算機。
【請求項２】
カード搬送装置は、退場カード取出口からの退場カードの逆入れを防止するために、当該退場カード取出口と搬送手段終端部との間にシャッタを備え、
前記シャッタは、前記搬送手段を経た前記退場カードの進入時の当接により姿勢を変化させて当該退場カードの通路を開けるとともに、当該退場カードの通過後の当接解除により自重で姿勢を変化させて当該退場カードの通路を閉じるように形成したことを特徴とする請求項１に記載のリストバンド自動精算機。
【請求項３】
シャッタは、搬送手段を経た退場カードの通過途中の当接により姿勢を変化させて当該退場カードの通路を閉じるように形成したことを特徴とする請求項２に記載のリストバンド自動精算機。
【請求項４】
退場カードの通過を検知するセンサ手段を、搬送手段終端部とシャッタとの間に配設したことを特徴とする請求項２または３に記載のリストバンド自動精算機。
【請求項５】
カード取出開口部には、搬出された退場カードに当接し当該退場カードの静電気を除去する除電ブラシを備えたことを特徴とする請求項１〜４のいずれか一つに記載のリストバンド自動精算機。
【発明の詳細な説明】
【０００１】
【発明の属する技術分野】
この発明は、リストバンド自動精算機に関する。
【０００２】
【従来の技術】
たとえば、いわゆる健康ランドのような２４時間営業の利用施設等では、営業中であっても施設利用者の利用を妨げずにリストバンド自動精算機のメンテナンスができることが要請される。そこで、本願出願人は、特願２０００−２００３０９号等において、前面扉側および背面扉側の双方から各種構成機器を容易にメンテナンスできるリストバンド自動精算機を提案するに至った。このリストバンド自動精算機は、利用者の施設退場時に退場カードを発行する退場カード発行ユニットを備えている。
【０００３】
この退場カード発行ユニットは、退場カードに退場時間等の所定データを書き込んで前面扉の退場カード取出口へと搬送する搬送機能を備えたカードリーダと、予め貯留している退場カードをこのカードリーダに搬出するカード搬出装置とから構成されている。以下、このような退場カード発行ユニットを備えた従来のリストバンド自動精算機について説明する。
【０００４】
まず、リストバンド自動精算機の全体構成について説明する。ここで、図７は、リストバンド自動精算機を示す背面斜視図、図８は、リストバンド自動精算機を示す正面斜視図、図９は、リストバンド自動精算機を示す正面図、図１０は、リストバンドを示す平面図である。各構成機器を収納する本体ケース１は、開閉自在に設けられた前面扉２および背面扉３と棚４を備えている。なお、背面扉３に設けられた開口部３ａは、背面扉３を閉じた状態でも、リストバンド回収ボックス３５を本体ケース１の外部に取り出せるようにしたものである。
【０００５】
リストバンド５は、タグ部５ａとバンド部５ｂとキー５ｃとからなり、このタグ部５ａには、電池不要のＥＥＰＲＯＭからなるＩＤタグメモリが内蔵されている。すなわち、このタグ部５ａに施設利用者の個人情報（たとえば、ロッカー番号等）が書き込まれている。リストバンド回収ユニット１０は、精算時に投入されるリストバンド５を回収するためのものであり、前面扉２側および背面扉３側の両方向にスライド移動自在に形成され、前面扉２側および背面扉３側の双方からメンテナンス作業をできるように形成されている。
【０００６】
背面扉３の内面に設けられたリストバンド一時保留ユニット４０は、リストバンド回収ユニット１０によって回収されたリストバンド５を、リストバンド返却口９６またはリストバンド回収ボックス３５に振り分ける際に一時的に保留するためのものである。背面扉３の内面に設けることにより、前面扉２を閉めたままでも、コインメカニズム９０およびコインホッパ６０のメンテナンスができるようになっている。
【０００７】
コインホッパ６０は、釣銭用コインを収納し必要時に払い出すためのものであり、前面扉２側および背面扉３側の両方向にスライド移動自在に形成され、前面扉２側および背面扉３側の双方からメンテナンス作業をできるように形成されている。なお、コイン投入口９２から投入されたコインは、投入コイン回収ボックス５２に回収され、売り上げ締め作業時に払い出したコインは、コインホッパ用回収ボックス５３に回収されるようになっている。
【０００８】
紙幣識別装置７０は、紙幣挿入口９３から支払われた紙幣を識別するためのものであり、前面扉２側および背面扉３側の両方向にスライド移動自在に形成され、前面扉２側および背面扉３側の双方からメンテナンス作業をできるように形成されている。また、この紙幣識別装置７０は、鉛直方向を軸にして所定角度、回動自在に形成されている。領収書発行ユニット８０は、精算後に領収書を発行するためのものであり、前面扉２側および背面扉３側の両方向にスライド移動自在に形成されているとともに、本体部の前部を支点にして、後部を持ち上げられるように形成されている。
【０００９】
退場カード発行ユニット８８は、精算後に退場カードを発行するためのものであり、前面扉２側および背面扉３側の両方向にスライド移動自在に形成されている。コインメカニズム９０は、コイン投入口９２から投入されたコインを識別するためのものである。
【００１０】
また、前面扉２には、リストバンド挿入口９１、コイン投入口９２、紙幣挿入口９３、紙幣返却口９４、コイン返却口９５、リストバンド返却口９６、操作部たるタッチパネルディスプレイ９７、操作要領等を発声するスピーカ９８、クレジットカード挿入口９９、退場カード取出口１００、領収書取出口１０１、利用者を検知し、精算手続待機状態とするための人体センサ１０２、クレジットカードリーダ１０５等を備えている。また、本体ケース１内には、装置全体の制御を行うコントロールボックス１０３、コントロールボックス１０３に各種の入力操作を行うキーボード１０４、無停電式の電源装置１０６、ドアスイッチ１０７、盗難防止ブザースイッチ１０８等を備えている。
【００１１】
つぎに退場カード発行ユニット８８について、図１１に基づいてさらに詳しく説明する。ここで、図１１は、従来の退場カード発行ユニットのカードリーダを模式的に示す断面図である。退場カード発行ユニット８８は、退場カード（以下、カードと記す）１９８に退場時間等の所定データを書き込んで前面扉２の退場カード取出口１００へと搬送する搬送機能を備えたカードリーダ３００と、予め貯留しているカード１９８をこのカードリーダ３００に搬出するカード搬出装置１７０とから構成されている。
【００１２】
カードリーダ３００内では、図示しない駆動モータによって駆動される搬送ローラ３０２によりカード１９８が搬送され、その搬送状態はセンサ３０１によって検知されるようになっている。通路３０３は、カード１９８の厚み方向に対応する寸法が受け口からカード搬出口に向かって次第に小さくなるように形成され、搬送ローラ３０２を通過したカード１９８の反りを抑制しながら、カード搬出口に向かって案内するように形成されている。
【００１３】
カード１９８の搬送路終端部は、ソレノイド３０４によって駆動されるシャッタ３０５によって開閉されるようになっている。搬送されたカード１９８は、板ばね３０７の押圧力による摩擦によって停止するようになっており、カードリーダ３００からカード１９８が抜き取られたか否かは、センサ３０６によって検知されるようになっている。
【００１４】
【発明が解決しようとする課題】
しかしながら、従来のリストバンド自動精算機の退場カード発行ユニット８８は、カードリーダ３００のカード搬送機能によってカード１９８を退場カード取出口１００に搬送しているため、カード１９８にデータを書き込む必要がない場合には、当該カード搬送のためにのみカードリーダ３００を使用していることとなり、コスト高となっていた。
【００１５】
また、このようなデータの書き込み機能を必要としない場合には、上記カード搬出装置１７０を前面扉２の直後に配置し、その搬出機能によって退場カード取出口１００にカード１９８を搬送するように構成することも可能であるが、その場合、カード搬出装置１７０が前面扉２側に偏って配置されるため、背面扉３側からのメンテナンスがしにくくなってしまうという課題があった。
【００１６】
また、カード搬出装置１７０に、カード１９８の抜き取り検知手段や搬送検知手段、カード停止手段、カード逆入れ防止手段（シャッタ機構）等を別途設ける必要があり、これらを設けると、顧客側の運用変更により再度カードリーダ３００を使用する必要が生じた場合に、カードリーダ３００との互換性の保持が困難になってしまうという課題もあった。
【００１７】
この発明は、上記に鑑みてなされたものであって、カード搬出装置から搬出されたカードを簡易な構成によって確実に搬送・搬出できるとともに、カードリーダとの互換性を容易に保持でき、顧客側の運用変更に柔軟かつ低コストで対応できる退場カード発行ユニットを備えたリストバンド自動精算機を提供することを目的とする。
【００１８】
また、この発明は、簡易な構成によってカードの搬送・抜き取り状態を確実に検知できるとともに、カードの逆入れを有効に防止できる退場カード発行ユニットを備えたリストバンド自動精算機を提供することを目的とする。
【００１９】
【課題を解決するための手段】
上述の目的を達成するために、この発明の請求項１にかかるリストバンド自動精算機は、精算後に退場カードを発行する退場カード発行ユニットを備えたリストバンド自動精算機において、前記退場カード発行ユニットは、前記退場カードを退場カード取出口へ搬送手段によって搬送するカード搬送装置と、予め貯留している前記退場カードを前記カード搬送装置に搬出するカード搬出装置とを備え、前記カード搬送装置は、退場カードを案内する案内溝を有したガイドレールを搬送方向と平行に一対備え、前記一対のガイドレールは、カード取出開口部に近づくにしたがって互いに近接するとともに、当該カード取出開口部直前において互いの前記案内溝どうしが連通するように形成したものである。これにより、反りの生じた退場カードを徐々に整形して反りのない状態でカード取出開口部から送出でき、カード詰まり等を防止できる。
【００２０】
また、この発明の請求項２にかかるリストバンド自動精算機は、カード搬送装置は、退場カード取出口からの退場カードの逆入れを防止するために、当該退場カード取出口と搬送手段終端部との間にシャッタを備え、前記シャッタは、前記搬送手段を経た前記退場カードの進入時の当接により姿勢を変化させて当該退場カードの通路を開けるとともに、当該退場カードの通過後の当接解除により自重で姿勢を変化させて当該退場カードの通路を閉じるように形成したものである。これにより、きわめて簡易な構成にて退場カード取出口からの退場カードの逆入れを防止でき、カード詰まり等を防止できる。
【００２１】
また、この発明の請求項３にかかるリストバンド自動精算機は、シャッタは、搬送手段を経た退場カードの通過途中の当接により姿勢を変化させて当該退場カードの通路を閉じるように形成したものである。これにより、退場カードの通過途中においても、退場カードの逆入れを防止でき、カード詰まり等を防止できる。
【００２２】
また、この発明の請求項４にかかるリストバンド自動精算機は、退場カードの通過を検知するセンサ手段を、搬送手段終端部とシャッタとの間に配設したものである。これにより、一つのセンサ手段により、退場カードの搬送終了と抜き取りとを確実に検知できる。
【００２４】
また、この発明の請求項５にかかるリストバンド自動精算機は、カード取出開口部には、搬出された退場カードに当接し当該退場カードの静電気を除去する除電ブラシを備えたものである。これにより、帯電したカードの静電気を除去できるとともに、搬送直後のカードが慣性力でカード取出開口部から飛び出すのを防止できる。
【００２５】
【発明の実施の形態】
以下、この発明にかかるリストバンド自動精算機の実施の形態につき図面を参照しつつ詳細に説明する。なお、この実施の形態によりこの発明が限定されるものではない。
【００２６】
図１は、この発明の実施の形態にかかる退場カード発行ユニットを示す斜視図、図２は、退場カード発行ユニットのカード搬送装置の要部を模式的に示す断面図、図３は、カードの搬出・搬送過程（ａ）とカードの搬送終了状態（ｂ）を示す説明図、図４は、カードの排出終了時（ａ）とカード抜き取り途中（ｂ）とカード抜き取り後（ｃ）におけるシャッタの動作を示す側面図、図５は、反りのあるカードがガイドレールによって案内搬送される様子を示す断面図、図６は、カードがガイドレールによって案内搬送される様子を示す平面図である。なお、以下の説明において、すでに説明した部材と同一もしくは相当する部材には、同一の符号を付して重複説明を省略または簡略化する。
【００２７】
退場カード発行ユニット８８は、図１および図２に示すように、カード１９８を前面扉２の退場カード取出口１００へ搬送するカード搬送装置１８０と、カード貯留部１７１に予め貯留しているカード１９８をこのカード搬送装置１８０に搬出するカード搬出装置１７０とから構成されている。両装置１７０，１８０は、基台１８１上に設けられている。この基台１８１は、ローラ１８２ａを有するスライド部１８２を備えており、本体ケース１に設けられたスライド式レール機構（図示せず）に搭載されている。
【００２８】
カード搬出装置１７０は、カード１９８をカード搬送装置１８０に搬出するために、図示しないプーリおよび搬送ベルトからなる搬出機構を備えており、モータ１７２を駆動源として動作するようになっている。カード搬送装置１８０の搬送駆動源は、このモータ１７２の駆動力を用いている。すなわち、モータ１７２の駆動力は、プーリ１７３，１７４，１７４ａおよびベルト１８４によって、カード搬送装置１８０の側板部１８３外部に設けられたプーリ１８８に伝達されるようになっている。
【００２９】
側板部１８３の内部であってプーリ１８８のシャフトには、プーリ１９０が設けられている。このプーリ１９０は、プーリ１９１，１９２，１９３とともにベルト１９４を駆動するようになっている。プーリ１９１等は、シャフト１９１ａ等によって回転自在に軸支されている。ローラ１９５は、ばね手段（図示せず）によってベルト１９４側に付勢されており、ベルト１９４によって搬送されるカード１９８を所定圧力で押圧するように形成されている。
【００３０】
側板部１８３の内壁面に設けた１対のガイドレール１９６，１９６は、図２、図５および図６に示すように、ベルト１９４によって搬送されるカード１９８の両端部を支持し、カード１９８をカード取出開口部１８５に円滑に案内するとともに、カード取出開口部１８５近傍においてガイドレール１９６，１９６を次第に幅広にして近接させ、その案内溝どうしを連通部１９６ａで連通させることによって、反りの生じたカード１９８を徐々に整形して反りのない状態でカード取出開口部１８５から送出できるようにし、詰まりを防止するようにしたものである。
【００３１】
カード取出開口部１８５に設けた除電ブラシ１８６は、搬送され帯電したカード１９８の静電気を除去するとともに、搬送直後のカード１９８に所定の摩擦抵抗を付与することによってカード１９８が慣性力でカード取出開口部１８５から飛び出すのを防止するためのものである。なお、除電ブラシ１８６の配線は、基台１８１とアース部１８７により接続されている。
【００３２】
シャッタ２００は、図３および図４に示すように、カード取出開口部１８５においてカード１９８の逆入れを防止し、カード１９８の抜き取り検知を確実なものとするために設けたものである。すなわち、シャッタ２００は、ベルト１９４の搬送方向終端部とカード取出開口部１８５との間に、カード１９８の抜き取りを検知するセンサ２０２とともに設けられ、このセンサ２０２の上部に対向配置されている。ガイドレール１９６に案内されたカード１９８は、このシャッタ２００とセンサ２０２との間を通過するようになっている。
【００３３】
シャッタ２００は、板状部材によって形成され、軸２００ａによって回転自在に設けられている。シャッタ２００は、通常はカード１９８の通過経路を塞ぐように閉じている（初期状態）。このとき、シャッタ２００の傾斜部２００ｂは、ガイドレール１９６に当接しており、シャッタ２００が同図の反時計回り方向にそれ以上回転しないようになっている。
【００３４】
つぎに、シャッタ２００の動作について説明する。図４（ａ）に示すように、ベルト１９４による搬送が終わると、シャッタ２００の傾斜部２００ｂがカード１９８によって押され、シャッタ２００は、傾斜部２００ｂがカード１９８と平行になるまで回転（同図では、時計回り）する。
【００３５】
そして、図４（ｂ）に示すように、センサ２０２によりカード１９８末端部の通過が検知され、抜き取り検知がなされる。すなわち、カード１９８の搬送終了検知と抜き取り検知の両方を１つのセンサ２０２で行うことができる。このとき、傾斜部２００ｂは、カード１９８と当接していないので、シャッタ２００は自重により回転し（同図では、反時計回り）、上記初期状態に復帰しようとする。抜き取り検知後にカード１９８を逆入れしようとしても、カード１９８の後端部が突部２００ｃおよび段部２００ｄによって進入を規制される。
【００３６】
続いて、図４（ｃ）に示すように、カード１９８がカード取出開口部１８５から抜き取られると、シャッタ２００がさらに回転（同図では、反時計回り）して完全に閉じ、上記初期状態に戻る。このとき、シャッタ２００の傾斜部２００ｂは、ガイドレール１９６に当接しており、シャッタ２００が同図の反時計回り方向にそれ以上回転しないようになっているので、カード１９８を逆入れしようとしてもシャッタ２００は開かず、かかる行為を有効に防止する。
【００３７】
なお、カード搬送装置１８０をカードリーダ３００に交換する場合には、モータ１７２の駆動力をプーリ１８８に伝達するベルト１８４を外して、プーリ１７３，１７４，１７４ａにカード搬出機構専用のベルト（図示せず）を装着すればよい。
【００３８】
以上のように、この実施の形態にかかるリストバンド自動精算機によれば、カードリーダ３００と互換性があり、カード搬出装置１７０の駆動源を共用できるカード搬送装置１８０を有した退場カード発行ユニット８８を備えて構成したので、カード搬出装置１７０から搬出されたカード１９８を簡易な構成によって確実に搬送・搬出できるとともに、メンテナンス性を犠牲にすることなく、顧客側の運用変更に柔軟かつ低コストで対応できる。
【００３９】
また、シャッタ２００およびセンサ２０２を設けたことで、従来のようなソレノイド３０４による機構や複数のセンサ３０２，３０６が不要となり、きわめて簡易な構成にてカード１９８の搬送・抜き取り状態を確実に検知できるとともに、カードの逆入れを有効に防止できる。
【００４０】
また、ガイドレール１９６を設けたことにより、反りの生じたカード１９８を徐々に整形して反りのない状態でカード取出開口部１８５から送出でき、カード１９８の詰まりを防止できる。
【００４１】
また、カード取出開口部１８５に除電ブラシ１８６を設けたことにより、搬送され帯電したカード１９８の静電気を除去できるとともに、搬送直後のカード１９８が慣性力でカード取出開口部１８５から飛び出すのを防止できる。
【００４２】
【発明の効果】
以上説明したように、この発明にかかるリストバンド自動精算機（請求項１）によれば、精算後に退場カードを発行する退場カード発行ユニットを備えたリストバンド自動精算機において、前記退場カード発行ユニットは、前記退場カードを退場カード取出口へ搬送手段によって搬送するカード搬送装置と、予め貯留している前記退場カードを前記カード搬送装置に搬出するカード搬出装置とを備え、前記カード搬送装置は、退場カードを案内する案内溝を有したガイドレールを搬送方向と平行に一対備え、前記一対のガイドレールは、カード取出開口部に近づくにしたがって互いに近接するとともに、当該カード取出開口部直前において互いの前記案内溝どうしが連通するように形成したので、反りの生じた退場カードを徐々に整形して反りのない状態でカード取出開口部から送出でき、カード詰まり等を防止できる。
【００４３】
また、この発明にかかるリストバンド自動精算機（請求項２）によれば、カード搬送装置は、退場カード取出口からの退場カードの逆入れを防止するために、当該退場カード取出口と搬送手段終端部との間にシャッタを備え、前記シャッタは、前記搬送手段を経た前記退場カードの進入時の当接により姿勢を変化させて当該退場カードの通路を開けるとともに、当該退場カードの通過後の当接解除により自重で姿勢を変化させて当該退場カードの通路を閉じるように形成したので、きわめて簡易な構成にて退場カード取出口からの退場カードの逆入れを防止でき、カード詰まり等を防止できる。
【００４４】
また、この発明にかかるリストバンド自動精算機（請求項３）によれば、シャッタは、搬送手段を経た退場カードの通過途中の当接により姿勢を変化させて当該退場カードの通路を閉じるように形成したので、退場カードの通過途中においても、退場カードの逆入れを防止でき、カード詰まり等を防止できる。
【００４５】
また、この発明にかかるリストバンド自動精算機（請求項４）によれば、退場カードの通過を検知するセンサ手段を、搬送手段終端部とシャッタとの間に配設したので、一つのセンサ手段により、退場カードの搬送終了と抜き取りとを確実に検知できる。
【００４７】
また、この発明にかかるリストバンド自動精算機（請求項５）によれば、カード取出開口部には、搬出された退場カードに当接し当該退場カードの静電気を除去する除電ブラシを備えたので、帯電したカードの静電気を除去できるとともに、搬送直後のカードが慣性力でカード取出開口部から飛び出すのを防止できる。
【図面の簡単な説明】
【図１】この発明の実施の形態にかかる退場カード発行ユニットを示す斜視図である。
【図２】退場カード発行ユニットのカード搬送装置の要部を模式的に示す断面図である。
【図３】カードの搬出・搬送過程（ａ）とカードの搬送終了状態（ｂ）を示す説明図である。
【図４】カードの排出終了時（ａ）とカード抜き取り途中（ｂ）とカード抜き取り後（ｃ）におけるシャッタの動作を示す側面図である。
【図５】反りのあるカードがガイドレールによって案内搬送される様子を示す断面図である。
【図６】カードがガイドレールによって案内搬送される様子を示す平面図である。
【図７】リストバンド自動精算機を示す背面斜視図である。
【図８】リストバンド自動精算機を示す正面斜視図である。
【図９】リストバンド自動精算機を示す正面図である。
【図１０】リストバンドを示す平面図である。
【図１１】従来の退場カード発行ユニットの要部を模式的に示す断面図である。
【符号の説明】
８８  退場カード発行ユニット
１７０  カード搬出装置
１７１  カード貯留部
１７２  モータ
１７３、１７４、１７４ａ、１８８  プーリ
１８０  カード搬送装置
１８１  基台
１８２  スライド部
１８２ａ  ローラ
１８３  側板部
１８４、１９４  ベルト
１８５  カード取出開口部
１８６  除電ブラシ
１８７  アース部
１９０、１９１、１９２、１９３  プーリ
１９１ａ  シャフト
１９５  ローラ
１９６  ガイドレール
１９６ａ  連通部
１９８  カード
２００  シャッタ
２００ａ  軸
２００ｂ  傾斜部
２００ｃ  突部
２０２  センサ
【図１】
0004006940.tif 000002
【図２】
0004006940.tif 000003
【図３】
0004006940.tif 000004
【図４】
0004006940.tif 000005
【図５】
0004006940.tif 000006
【図６】
0004006940.tif 000007
【図７】
0004006940.tif 000008
【図８】
0004006940.tif 000009
【図９】
0004006940.tif 000010
【図１０】
0004006940.tif 000011
【図１１】
0004006940.tif 000012